(57)【要約】【課題】  足場で安全に作業をすることができるタンクコンテナを提供すること。【解決手段】  液体もしくは粉体の送出入を可能にする開閉可能なマンホールを上面に備えた前後方向に長いタンク、タンクの両側面の前端と後端との各々に立設配置されている頭部に孔を備えた支柱を含む枠体、そしてタンクの上面に配置されている足場を含むタンクコンテナにおいて、安全帯フックを取り付け可能なロープが、このロープの各々の端部がタンクの一方の側面の前後方向に立設配置された各々の支柱の孔に着脱可能に張り渡されていることを特徴とする足場での作業の安全性が高められたタンクコンテナ。【選択図】        図１
2007062796.tif 000002
【特許請求の範囲】
【請求項１】
液体もしくは粉体の送出入を可能にする開閉可能なマンホールを上面に備えた前後方向に長いタンク、該タンクの両側面の前端と後端との各々に立設配置されている頭部に孔を備えた支柱を含む枠体、そして該タンクの上面に配置されている足場を含むタンクコンテナにおいて、安全帯フックを取り付け可能なロープが、該ロープの各々の端部がタンクの一方の側面の前後方向に立設配置された各々の支柱の孔に着脱可能に張り渡されていることを特徴とする足場での作業の安全性が高められたタンクコンテナ。
【請求項２】
ロープの両端の各々に、上記の各々の支柱の孔と係合して仮固定される支持具が付設されている請求項１に記載のタンクコンテナ。
【請求項３】
各々の支持具が、湾曲した基部を有する鉤型の本体部と、該本体部の基部近傍に交差するように付設されている、上記支柱の孔のサイズよりも大きな長さの横棒とからなる請求項２に記載のタンクコンテナ。
【請求項４】
ロープが、該ロープ全体の長さを調節する用具を備える請求項１乃至３のうちのいずれかの項に記載のタンクコンテナ。
【請求項５】
液体もしくは粉体の送出入を可能にする開閉可能なマンホールを上面に備えた前後方向に長いタンク、該タンクの両側面の前端と後端との各々に立設配置されている頭部に孔を備えた支柱を含む枠体、そして該タンクの上面に配置されている足場を含むタンクコンテナの上記足場での作業の安全性を高めるために用いる、安全帯フックを取り付け可能で且つ全体の長さを調節する用具を備えたロープと、該ロープの両端の各々に付設されている、上記支柱の孔と係合して仮固定される支持具とからなる支持具付きロープ。
【請求項６】
各々の支持具が、湾曲した基部を有する鉤型の本体部と、該本体部の基部近傍に交差するように付設されている、上記支柱の孔のサイズよりも大きな長さの横棒とからなる請求項５に記載の支持具付きロープ。
【請求項７】
液体もしくは粉体の送出入を可能にする開閉可能なマンホールを上面に備えた前後方向に長いタンク、そして該タンクのマンホールの周りに立設された周壁に囲まれた足場を含むタンク車において、安全帯フックを取り付け可能なロープもしくは梁材が、該ロープもしくは梁材の各々の端部が互いに前後に間隔をあけた状態で該周壁に固定されて張り渡されていることを特徴とする足場での作業の安全性が高められたタンク車。
【請求項８】
ロープが、該ロープ全体の長さを調節する用具を備える請求項７に記載のタンク車。                                                                             
【発明の詳細な説明】
【技術分野】
【０００１】
本発明は、車両や船舶に積載されて運搬されるタンクコンテナ及びタンク車に関する。
【背景技術】
【０００２】
労働安全衛生法において、高さが２ｍ以上の場所（以下、高所という）で作業をする作業者には安全帯を使用することが義務付けられている。安全帯は、作業者の腰に巻くベルトと、このベルトに安全索を介して接続されたフックとから構成されている。そして作業者は、安全帯のベルトを腰に巻き、フックを適当な構造物に取り付けて作業を行なうことにより、高所からの落下による傷害の発生を防止している。
【０００３】
一方、タンクコンテナを積載したトレーラやタンク車では、液体や粉体の輸送効率の観点からタンクが大型化され、高さが２ｍを超えるタンクが備えられていることが一般的である。従って作業者は、例えば、タンクの上面に備えられたマンホールから液体や粉体を出し入れするためにタンクの上に登り、タンクに備えられた足場にて高所での作業を行なうことになる。そしてタンクの上に居る作業者は、タンクに備えられた適当な構造物（例えば、上記のマンホールの開閉に用いる取っ手など）に安全帯のフックを取り付けて作業を行なう。
【０００４】
しかしながら、安全帯のフックの取り付けができる構造物が適当な場所に存在しないことがある。また適当な構造物が存在する場合であっても、この構造物は、作業者が落下した際に加わる荷重に耐えられるように設計されている訳ではない。このため作業者が落下した場合に、安全帯フックを取り付けた構造物が破損して、作業者の安全を十分に確保できない恐れがある。
【０００５】
特許文献１には、移動自在とされた走行基台、この走行基台の上面に設けられた高さ方向に伸縮自在とされた支柱と、この支柱の上部位置に取り付けられたブラケット状の安全帯取付け部材などから構成される安全帯取付け装置が開示されている。そして、この安全帯取付け装置は、例えば、運搬車両上での作業を生じた場合に簡単に車両の脇に設置ができ、作業員の安全を確保できるとされている。
【０００６】
特許文献２には、鉄道レールの枕木をクランプする複数のクランプ手段、このクランプ手段に着脱自在に立設され表面が絶縁体からなる複数の支柱、これらの支柱の上部間に懸架され、鉄道レールの敷設方向に張設されるロープ、このロープに対しロープの延在方向に移動自在に連結され、作業者の体に取り付けられる安全帯とを備える鉄道レール高所作業用安全装置が開示されている。この安全装置を用いると、作業者が誤って足を踏み外した場合であっても、支柱上部のロープ懸架位置から吊り下げられるので、作業者の手の届く範囲に枕木やレールなどの手で掴めるものが存在し、救出作業の危険度が少ないとされている。
【特許文献１】特許第３２８５８４０号公報
【特許文献２】特開平１０−１０８９１６号公報
【発明の開示】
【発明が解決しようとする課題】
【０００７】
特許文献１の安全帯取付装置は、運搬車両上で作業を行う際に作業者の安全を確保するために有利に用いることができる。しかしながら運搬車両に荷積みや荷下ろしをする全ての場所に安全帯取付け装置を配置するのには費用がかかり、また装置の保管場所を確保する必要があるなどの問題を有している。
【０００８】
特許文献２の安全装置は、枕木のクランプ手段が用いられているために鉄道レール上での高所作業には適した構成であるが、タンクコンテナを積載したトレーラやタンク車の上での高所作業に適したものではない。
【０００９】
本発明の課題は、足場で安全に作業をすることができるタンクコンテナ及びタンク車を提供することにある。
【課題を解決するための手段】
【００１０】
本発明は、液体もしくは粉体の送出入を可能にする開閉可能なマンホールを上面に備えた前後方向に長いタンク、タンクの両側面の前端と後端との各々に立設配置されている頭部に孔を備えた支柱を含む枠体、そしてタンクの上面に配置されている足場を含むタンクコンテナにおいて、安全帯フックを取り付け可能なロープが、このロープの各々の端部がタンクの一方の側面の前後方向に立設配置された各々の支柱の孔に着脱可能に張り渡されていることを特徴とする足場での作業の安全性が高められたタンクコンテナにある。
【００１１】
本発明のタンクコンテナの好ましい態様は、次の通りである。
（１）ロープの両端の各々に、上記の各々の支柱の孔と係合して仮固定される支持具が付設されている。
（２）各々の支持具が、湾曲した基部を有する鉤型の本体部と、この本体部の基部近傍に交差するように付設されている、上記支柱の孔のサイズよりも大きな長さの横棒とからなる。
（３）ロープが、ロープ全体の長さを調節する用具を備える。
【００１２】
本発明はまた、液体もしくは粉体の送出入を可能にする開閉可能なマンホールを上面に備えた前後方向に長いタンク、タンクの両側面の前端と後端との各々に立設配置されている頭部に孔を備えた支柱を含む枠体、そしてタンクの上面に配置されている足場を含むタンクコンテナの上記足場での作業の安全性を高めるために用いる、安全帯フックを取り付け可能で且つ全体の長さを調節する用具を備えたロープと、このロープの両端の各々に付設されている、上記支柱の孔と係合して仮固定される支持具とからなる支持具付きロープにもある。
【００１３】
本発明の支持具付きロープの好ましい態様は、次の通りである。
各々の支持具が、湾曲した基部を有する鉤型の本体部と、この本体部の基部近傍に交差するように付設されている、上記支柱の孔のサイズよりも大きな長さの横棒とからなる。
【００１４】
本発明はまた、液体もしくは粉体の送出入を可能にする開閉可能なマンホールを上面に備えた前後方向に長いタンク、そしてタンクのマンホールの周りに立設された周壁に囲まれた足場を含むタンク車において、安全帯フックを取り付け可能なロープもしくは梁材が、ロープもしくは梁材の各々の端部が互いに前後に間隔をあけた状態で上記の周壁に固定されて張り渡されていることを特徴とする足場での作業の安全性が高められたタンク車にもある。
【００１５】
本発明のタンク車の好ましい態様は、次の通りである。
ロープが、ロープ全体の長さを調節する用具を備える。
【発明の効果】
【００１６】
本発明のタンクコンテナあるいはタンク車にはロープが張り渡されており、作業者は、このロープに安全帯のフックを取り付けることで、タンク上の足場において安全に作業をすることができる。
【発明を実施するための最良の形態】
【００１７】
本発明のタンクコンテナを、添付の図面を用いて説明する。図１は、本発明のタンクコンテナの構成例と、このタンクコンテナを積載したトレーラ付きの牽引車とを示す正面図である。そして図２及び図３は、各々図１のタンクコンテナを積載したトレーラ付きの牽引車の平面図と右側面図である。なお、図２及び図３においては、図１に示すロープ１８、ロープ１８の支持具１９ａ、１９ｂ、そして安全帯４３を装着した作業者４４の記載は省略してある。
【００１８】
図１から図３に示す本発明のタンクコンテナは、液体もしくは粉体の送出入を可能にする開閉可能なマンホール１１を上面に備えた前後方向に長いタンク１２、タンク１２の両側面の前端と後端との各々に立設配置されている頭部に孔１３を備えた支柱１４ａ、１４ｂ、１４ｃ、１４ｄを含む枠体１５、そしてタンク１２の上面に配置されている足場１６を含むタンクコンテナ１７に、安全帯フックを取り付け可能なロープ１８が、ロープ１８の各々の端部がタンク１２の一方の側面の前後方向に立設配置された支柱１４ａ、１４ｂの各々の孔１３に着脱可能に張り渡された構成を有している。
【００１９】
本発明のタンクコンテナは、例えば、図１に示すようにトレーラ４１に積載され牽引車４２により運搬される。そして図１に示すように、安全帯４３を装着した作業者４４は、安全帯のフック４３ａをロープ１８に取り付けることで、例えば、マンホール１１の開閉を行なうなどの足場１６での作業を安全に行なうことができる。
【００２０】
安全帯のフック４３ａが取り付けられるロープ１８は、タンクコンテナ１７に着脱可能に張り渡されている。このため、牽引車４２によりトレーラ４１に積載されたタンクコンテナ１７を運搬する際には、ロープ１８を取り外して牽引車の車内等に収容しておくことができる。タンクコンテナ１７が積載されたトレーラ４１の車高は３．８ｍにも及ぶ場合があり、ロープ１８がタンクコンテナの上方に張り渡された状態では車高が更に高くなる。上記のようにタンクコンテナ１７を運搬している際にロープ１８を取り外しておくことで、例えば、化学工場にて配管等の設備の下方をトレーラが通過する際に、配管等の設備とロープとの接触による事故を防止できる。そしてタンクコンテナの荷下ろしをする場所に、例えば、上記特許文献１に記載されているような安全帯取付け装置が用意されていない場合であっても、再びタンクコンテナ１７にロープ１８を張り渡すことで、足場１６において安全に作業をすることができる。
【００２１】
次に、本発明のタンクコンテナにおいて、ロープ１８をタンクコンテナ１７の支柱の孔を利用して張り渡す理由について説明する。
【００２２】
タンクコンテナ１７は、上記のようにトレーラに積載されて牽引車で運搬されたり、あるいは船舶に積載されて運搬されたりする。そしてトレーラや船舶に積載する前のタンクコンテナは、コンテナヤードにて上下に積み重ねられて保管される。
【００２３】
この上下に積み重ねられるタンクコンテナが崩れないようにするために、これらのタンクを互いに仮止めする必要がある。この仮止めを行なうために、タンクコンテナの各々の支柱の頂面及び底面には細長い孔が形成されている。そしてタンクコンテナの各々の支柱の頂面の孔に、ツイストロックと呼ばれる仮止め具の下側部分を挿入して上記支柱の孔と係合させて仮固定し、次にこの上に別のタンクコンテナを、その各々の支柱の底面の孔に上記仮止め具の上側部分が挿入されるようにして積み重ねることにより、これらのタンクコンテナが互いに仮止めされる。また、各々の支柱には頂面だけでなく、側面の上端近傍と下端近傍にも孔が形成されている。この支柱側面に形成された孔は、タンクコンテナを専用のリフターで移動したり、トレーラ等に積載したりする際にリフターの爪が挿入される孔である。
【００２４】
このようにタンクコンテナ１７の各々の支柱の頭部には孔１３（頂面及び側面の上端近傍に形成された孔）が備えられているため、タンク１２の一方の側面の前後方向に立設配置された支柱１４ａ、１４ｂの各々の孔１３を利用することで、一般に使用されているタンクコンテナに容易にロープを張り渡すことができるからである。なお、ロープ１８は、図１及び図２に示すようにタンクコンテナ１７の枠体１５の上方に張り渡すことが足場１６での作業性の点で好ましいが、枠体１５の側方に張り渡しても良い。
【００２５】
タンクコンテナ１７へのロープ１８の張り渡しを容易にするため、ロープ１８の両端の各々には、図１に示すように支柱１４ａ、１４ｂの各々の孔１３と係合して仮固定される支持具１９ａ、１９ｂが備えられていることが好ましい。
【００２６】
次に、図１に示すタンクコンテナ１７に備えられている本発明の支持具付きロープについて説明する。図４は、図１に示すタンクコンテナが備える本発明の支持具付きロープの構成を示す図であり、そして図５は、図４に示す支持具１９ａを右側から見た図である。
【００２７】
図４の支持具付きロープは、安全帯フックを取り付け可能で且つ全体の長さを調節する用具１８ａを備えたロープ１８と、ロープ１８の両端の各々に付設されている、上記のタンクコンテナ１７の支柱の孔と係合して仮固定される支持具１９ａ、１９ｂとから構成されている。この支持具付きロープは、図１に示すように液体もしくは粉体の送出入を可能にする開閉可能なマンホール１１を上面に備えた前後方向に長いタンク１２、タンク１２の両側面の前端と後端との各々に立設配置されている頭部に孔１３を備えた支柱１４ａ、１４ｂ、１４ｃ、１４ｄを含む枠体１５、そしてタンク１２の上面に配置されている足場１６を含むタンクコンテナ１７の足場１６での作業の安全性を高めるために用いられる。
【００２８】
ロープ１８としては、例えば、天然繊維、合成繊維、もしくは金属線を綯ったり編んだりして、綱状もしくは帯状に形成したものを用いることができる。
【００２９】
ロープの全体の長さを調節する用具（以下、ロープの長さ調節具ともいう）１８ａは、ハンドル２２ａを揺動させることで軸２２ｂにロープが巻き取られるように構成されている。なお、ロープの全体の長さとは、ロープ１８とロープの長さ調節具１８ａとの全体の長さを意味している。ロープの長さの調節具は、図４に示すようにロープ１８の両端の間に備えられていても良いし、ロープ１８の一方の端部と支持具との間に備えられていても良い。
【００３０】
支持具１９ａ、１９ｂの各々は、湾曲した基部２０ａを有する鉤型の本体部２０と、この本体部２０の基部近傍に交差するように付設されている、上記のタンクコンテナの支柱の孔のサイズよりも大きな長さの横棒２１とから構成されていることが好ましい。このような構成の支持具は、例えば、棒材を曲げ加工して得られる本体部２０に、横棒２１を溶接することで簡単に作製できるからである。支持具の材料の例としては、例えば、鉄やアルミニウムなどの金属、およびステンレススチールなどの合金組成物が挙げられる。
【００３１】
図６は、図１に示す支持具１９ｂが、タンクコンテナ１７の支柱１４ｂの孔１３と係合して仮固定された状態を示す図である。図６に示すように、支持具１９ｂは、基部２０ａを支柱１４ｂの上面の孔１３から側面上方の孔へと通すことで、支柱１４ｂの孔と係合して仮固定される。横棒２１は、本体部２０の基部２０ａよりも上側の部分が、支柱１４ｂの上方に立設されるように本体部を支持すると共に、本体部の全体が支柱の孔を通り抜けて落下することを防止する。
【００３２】
図１に示すタンクコンテナ１７には、例えば、次のようにしてロープを張り渡すことができる。まず、図４に示す一対の支持具１９ａ、１９ｂの各々に、取り付け金具２３を介してロープの長さの調節具１８ａを備えるロープ１８の各々の端部を接続する。次に、支持具付きのロープをタンクの上に運び、支持具１９ａ、１９ｂの各々を、図１に示す支柱１４ａ、１４ｂの各々の孔１３と係合させて仮固定する。そしてロープの長さの調節具１８ａのハンドル２２ａを揺動させて軸２２ｂにロープ１８を巻き取り、ロープ全体の長さを短くしてロープ１８の張力を調節する。このようにして、図１に示すタンクコンテナ１７に、ロープ１８を張り渡すことができる。
【００３３】
図７は、本発明の支持具付きロープに用いられる支持具の別の構成例と、この支持具２９ａを図１のタンクコンテナ１７の支柱１４ａの孔１３に挿入した状態とを示す図である。この図７の紙面の手前側は、タンクの後方側である。そして図８は、図７に示す支持具２９ａの底面図である。この図８には、上記の支柱１４ａの孔１３を二点鎖線で記入してある。
【００３４】
図７及び図８に示すように、支持具２９ａは、先端が角錐状に形成された基部３０ａを有する本体部３０と、この本体部の基部近傍の周囲に付設されている横板３１とから構成されている。
【００３５】
図９は、図７に示す支持具２９ａを、本体部３０の頂面の側から見て時計方向に９０度回転させた状態を示す図である。図９に示すように、支持具２９ａは、上記の回転により支柱１４ａの孔１３と係合して仮固定される。なお、図８の支持具の底面図には、支持具２９ａが矢印が示す方向に回転した後の基部の配置を一点鎖線で示してある。
【００３６】
支持具の横板３１は、支柱１４ａの孔１３のサイズよりも大きいサイズに設定されており、本体部３０の基部３０ａよりも上側の部分が、支柱の上方に立設されるように本体部を支持すると共に、本体部の全体が支柱の孔を通り抜けて落下することを防止する。
【００３７】
なお、ロープの支持具が仮固定される孔は、支柱の頂面に備えられた孔を用いることには限定されず、例えば、支柱の側面上方に備えられた孔を用いることもできる。
【００３８】
図１０は、本発明のタンク車の構成例を示す正面図であり、そして図１１は、図１０に示すタンク５２の足場５６を斜め上方から見た図である。
【００３９】
図１０及び図１１に示す本発明のタンク車５７は、液体もしくは粉体の送出入を可能にする開閉可能なマンホール５１を上面に備えた前後方向に長いタンク５２、そしてタンク５２のマンホール５１の周りに立設された周壁５３に囲まれた足場５６を含むタンク車に、安全帯フックを取り付け可能なロープ５８が、ロープ５８の各々の端部が互いに前後に間隔をあけた状態で周壁５３に固定されて張り渡された構成を有している。
【００４０】
上記タンク５２の周壁５３は、例えば、タンク５２の上面のマンホール５１から液体を送入する際に、誤って液体をマンホールの周囲にこぼしてしまった場合に、この液体がタンクの側面に沿って流れ落ちることを防止するために備えられている。このような周壁５３を備えるタンク５２の場合には、周壁５３を利用してロープ５８を張り渡し、このロープ５８に安全帯のフックを取り付けることで、作業者は、周壁５３に囲まれたタンクの足場５６で安全に作業をすることができる。
【００４１】
図１１に示すロープ５８としては、金属線を綯って綱状に形成したものが用いられている。このロープ５８を、樹脂製のチューブに収容したり、樹脂で被覆したりすることも好ましい。金属線での錆の発生が防止されるからである。
【００４２】
ロープ５８には、図１１に示すようにロープ全体の長さを調節する用具（ロープの長さの調節具）５８ａが備えられていることが好ましい。ロープの長さの調節具５８ａとしては、両端の各々にフックボルト５８ｂがねじ込まれたターンバックル５８ｃが用いられている。このターンバックル５８ｃを回すことでロープ全体の長さ（ロープとロープの長さの調節具との全体の長さ）を調節することができる。なお、ロープは、周壁５３の外側に張り渡しても良い。
【００４３】
図１０及び図１１に示すタンク５２の周壁５３には、例えば、次のようにしてロープを張り渡すことができる。まず、ナット６１が溶接された金属板（図示は略する）を一対作製して、各々の金属板を周壁５３の内側面に溶接する。次に各々のナット６１にアイボルト６２をねじ込み、一方のアイボルト６２にロープ長さの調節具５８ａ、そしてロープ５８の一方の端部を接続し、このロープの他方の端部を取り付け金具２３を介して他方のアイボルト６２に接続する。そしてターンバックル５８ｃを回してロープ全体の長さを短くしてロープ１８の張力を調節する。このようにして、図１１及び図１２に示すタンク５２の周壁５３に、ロープ５８を張り渡すことができる。
【００４４】
また、このようにタンク５２に周壁５３が備えられている場合には、周壁の上端よりも下方にロープを張り渡せば、タンク車５７の車高が高くなることはない。このため、ロープ５８は、タンク車５７が走行中の場合にも、周壁５３に張り渡したままでも良い。従って、周壁を備えているタンクの場合には、ロープに代えて梁材（例えば、金属製の棒材）を張り渡しても良い。なお、タンク５２の足場５６の外側には、作業者がタンクの上で歩行あるいは作業を行なうために用いることができる補助的な足場が備えられていることも好ましい。
【図面の簡単な説明】
【００４５】
【図１】本発明のタンクコンテナの構成例と、このタンクコンテナを積載しているトレーラ付きの牽引車とを示す正面図である。
【図２】図１のタンクコンテナを積載したトレーラ付きの牽引車の平面図である。但し、図１に示すロープ１８、ロープ１８の支持具１９ａ、１９ｂ、そして安全帯４３を装着した作業者４４の記載は省略してある。
【図３】図１のタンクコンテナを積載したトレーラ付きの牽引車の右側面図である。但し、図１に示すロープ１８、ロープ１８の支持具１９ａ、１９ｂ、そして安全帯４３を装着した作業者４４の記載は省略してある。
【図４】図４は、図１に示すタンクコンテナが備える本発明の支持具付きロープの構成を示す図である。
【図５】図４に示す支持具１９ａを右側から見た図である。
【図６】図１に示す支持具１９ｂが、タンクコンテナ１７の支柱１４ｂの孔１３と係合して仮固定された状態を示す図である。
【図７】本発明の支持具付きロープに用いられる支持具の別の構成例と、この支持具２９ａを図１のタンクコンテナ１７の支柱１４ａの孔１３に挿入した状態とを示す図である。
【図８】図８は、図７に示す支持具２９ａの底面図である。
【図９】図９は、図７に示す支持具２９ａを、本体部３０の頂面の側から見て時計方向に９０度回転させた状態を示す図である。
【図１０】本発明のタンク車の構成例を示す正面図である。
【図１１】図１０に示すタンク５２の足場５６を斜め上方から見た図である。
【符号の説明】
【００４６】
１１  マンホール
１２  タンク
１３  孔
１４ａ、１４ｂ、１４ｃ、１４ｄ  支柱
１５  枠体
１６  足場
１７  タンクコンテナ
１８  ロープ
１８ａ  ロープの長さの調節具
１９ａ、１９ｂ  支持具
２０  本体部
２０ａ  基部
２１  横棒
２２ａ  ハンドル
２２ｂ  軸
２３  取り付け金具
２９ａ  支持具
３０  本体部
３０ａ  基部
３１  横板
４１  トレーラ
４２  牽引車
４３  安全帯
４３ａ  フック
４４  作業者
５１  マンホール
５２  タンク
５３  周壁
５６  足場
５７  タンク車
５８  ロープ
５８ａ  ロープの長さの調節具
５８ｂ  フックボルト
５８ｃ  ターンバックル
６１  ナット
６２  アイボルト                                                                               
【図１】
2007062796.tif 000003
【図２】
2007062796.tif 000004
【図３】
2007062796.tif 000005
【図４】
2007062796.tif 000006
【図５】
2007062796.tif 000007
【図６】
2007062796.tif 000008
【図７】
2007062796.tif 000009
【図８】
2007062796.tif 000010
【図９】
2007062796.tif 000011
【図１０】
2007062796.tif 000012
【図１１】
2007062796.tif 000013